(57)【要約】【課題】冷陰極管ホルダを共通化することでコストの大幅な削減と誤配防止を実現した液晶モジュールを提供する。【解決手段】リアフレーム１の内部に光反射シート２を設け、冷陰極管３を冷陰極管ホルダ４に保持させて光反射シート２の上に配設し、リアフレーム１の相対向する側板の内側に合成樹脂製のランプフレーム５を設け、冷陰極管３の上方に光学シート６ａ，６ｂと液晶パネル８を重ねて設けると共に、液晶パネル８の四周縁をベゼルで囲んだ液晶モジュール９において、冷陰極管ホルダ４は、帯状基部４ａと少なくとも一対の冷陰極管保持部４ｂを有したものであり、帯状基部４ａに冷陰極管保持部４ｂの一方をスライド可能に取付けると共に、冷陰極管保持部４ｂの他方を帯状基部４ａに固定した構成とする。一方の冷陰極管保持部４ｂを冷陰極管３に合わせてスライドさせることで、様々な冷陰極管３を保持できる。【選択図】図１
2012234089.tif 000002
【特許請求の範囲】
【請求項１】
リアフレームの内部に光反射シートを設け、冷陰極管を冷陰極管ホルダに保持させて光反射シートの上に配設し、リアフレームの相対向する側板の内側に合成樹脂製のランプフレームを設け、冷陰極管の上方に光学シートと液晶パネルを重ねて設けると共に、液晶パネルの四周縁をベゼルで囲んだ液晶モジュールにおいて、
上記冷陰極管ホルダは、帯状基部と少なくとも一対の冷陰極管保持部を有したものであり、帯状基部に冷陰極管保持部の一方を帯状基部の長さ方向にスライド可能に取付けると共に、冷陰極管保持部の他方を帯状基部に固定したことを特徴とする液晶モジュール。
【請求項２】
帯状基部に蟻溝を設けると共に、上部が開環する開環状の冷陰極管保持部の一方に、該蟻溝に嵌入する蟻部を設け、その冷陰極管保持部の蟻部を帯状基部の蟻溝に嵌入して、一方の冷陰極管保持部を帯状基部にスライド可能に取付けたことを特徴とする請求項１に記載の液晶モジュール。
【請求項３】
リアフレームの上辺側に、スライド可能な一方の冷陰極管保持部を位置させると共に、リアフレームの下辺側に、帯状基部に固定した他方の冷陰極管保持部を位置させて、冷陰極管を冷陰極管ホルダに保持させたことを特徴とする請求項１又は請求項２に記載の液晶モジュール。
【発明の詳細な説明】
【技術分野】
【０００１】
本発明は、テレビ、パソコンその他の電子部品に組み込まれる液晶モジュールに関し、特に、様々なピッチの冷陰極管を保持することのできる汎用性の高い冷陰極管ホルダを備えた液晶モジュールに関する。
【背景技術】
【０００２】
テレビ等に組み込まれる一般的な液晶モジュールは、合成樹脂製のランプホルダーに保持された冷陰極管を光源としている。この冷陰極管は、略直線状のものや略Ｕ字状のものなどがあり、液晶パネルの大きさ等に合わせて、略直線状の冷陰極管の場合、その本数や配置間隔が変更される。また、略Ｕ字状の冷陰極管の場合は、様々なピッチの冷陰極管が用いられる。これに伴い、その冷陰極管を保持するランプホルダーも、それに合わせた種々のサイズのものが必要となり、金型の成形に多額の費用を要するばかりか、よく似た形状や寸法のランプホルダーが多いため、誤配することも多く、作業効率の観点からも好ましいものではなかった。
【０００３】
このような冷陰極管を保持する保持部材として、冷陰極管を保持する光源保持バンドを係止させる係止孔を、光源保持部材の長手方向に沿って連続的に形成した光源保持部材が提案されている（特許文献１）。この光源保持部材は、冷陰極管の本数やそのピッチに合わせて、光源保持バンドを係止させる係止孔の位置を変更することで、上記の問題に対処している。
【０００４】
しかしながら、上記特許文献１の光源保持部材は、光源保持バンドを係止させる係止孔の位置を１つ変更するだけでも、係止位置の移動距離が大きいため、微調整ができず、冷陰極管のピッチが僅かに異なる場合などに対応できないという問題があった。
【０００５】
上記特許文献１の他にも、光源を把持する把持部と、複数の把持部を連結する板状の連結部と、バックライトシャーシに係止するための係止部とを備えた光源支持体の該係止部を、バックライトシャーシに穿孔された千鳥パターンの貫通孔に係止させたバックライト装置（特許文献２）や、ランプと、ランプを保持する保持具と、ランプ保持具が装着される被着面を有し、その被着面に、孔部が設けられたシャーシと進入部とを備えた照明装置（特許文献３）なども提案されている。
【先行技術文献】
【特許文献】
【０００６】
【特許文献１】特開２００８−０８４７２７号公報
【特許文献２】特開２００７−１２８７１２号公報
【特許文献３】特開２０１０−００９９９９号公報
【発明の概要】
【発明が解決しようとする課題】
【０００７】
上記特許文献２，３の発明も、冷陰極管の配置間隔を変更したりピッチが異なる冷陰極管を用いる場合でも、一種類のランプホルダーで保持することができるとはいうものの、上記特許文献１の発明と同様に微調整ができず、様々なピッチの冷陰極管に十分対応できるものではなかった。
【０００８】
本発明は上記の問題に鑑みてなされたもので、その解決しようとする課題は、様々なピッチの冷陰極管を一種類の冷陰極管ホルダで保持することができ、冷陰極管ホルダを共通化することでコストの大幅な削減と誤配防止を実現した液晶モジュールを提供することにある。
【課題を解決するための手段】
【０００９】
上記目的を達成するため、本発明に係る液晶モジュールは、リアフレームの内部に光反射シートを設け、冷陰極管を冷陰極管ホルダに保持させて光反射シートの上に配設し、リアフレームの相対向する側板の内側に合成樹脂製のランプフレームを設け、冷陰極管の上方に光学シートと液晶パネルを重ねて設けると共に、液晶パネルの四周縁をベゼルで囲んだ液晶モジュールにおいて、上記冷陰極管ホルダは、帯状基部と少なくとも一対の冷陰極管保持部を有したものであり、帯状基部に冷陰極管保持部の一方を帯状基部の長さ方向にスライド可能に取付けると共に、冷陰極管保持部の他方を帯状基部に固定したことを特徴とするものである。
【００１０】
本発明の液晶モジュールにおいては、帯状基部に蟻溝を設けると共に、上部が開環する開環状の冷陰極管保持部の一方に、該蟻溝に嵌入する蟻部を設け、その冷陰極管保持部の蟻部を帯状基部の蟻溝に嵌入して、一方の冷陰極管保持部を帯状基部にスライド可能に取付けることが好ましい。また、リアフレームの上辺側に、スライド可能な一方の冷陰極管保持部を位置させると共に、リアフレームの下辺側に、帯状基部に固定した他方の冷陰極管保持部を位置させて、冷陰極管を冷陰極管ホルダに保持させるとより好ましい。
【発明の効果】
【００１１】
本発明の液晶モジュールは、例えば冷陰極管が略直線状のものを用いる場合、その配置間隔が液晶パネルの大きさに合わせて変更されても、帯状基部に取付けた一方の冷陰極管保持部を、その配置間隔に合致するようにスライドさせることで、冷陰極管を冷陰極管ホルダに保持させることができる。また、冷陰極管が略Ｕ字状のものであって、そのピッチが異なるものを使用する場合でも、スライド可能に取付けた一方の冷陰極管保持部を、そのピッチに合わせてスライドさせることで対応することができる。このように本発明の液晶モジュールは、冷陰極管の配置間隔やピッチが変わっても、１種類の冷陰極管ホルダによって対応することができるので、何種類もの金型が不要となって成形コストを大幅に削減することができると共に、誤配を無くすことで作業効率を向上させることができる。また、他方の冷陰極管保持部を帯状基部に固定しておくことで、冷陰極管が強固に保持されて、配設位置が移動することもない。
【００１２】
また、帯状基部に蟻溝を設けると共に、上部が開環する開環状の冷陰極管保持部の一方に、該蟻溝に嵌入する蟻部を設け、その冷陰極管保持部の蟻部を帯状基部の蟻溝に嵌入して、一方の冷陰極管保持部を帯状基部にスライド可能に取付けた液晶モジュールは、冷陰極管保持部を所望の箇所に移動させて冷陰極管を保持することができるようになり、冷陰極管の配置間隔やピッチが僅かに異なる場合にも容易に対応することができる。
【００１３】
更に、リアフレームの上辺側に、スライド可能な一方の冷陰極管保持部を位置させると共に、リアフレームの下辺側に、帯状基部に固定した他方の冷陰極管保持部を位置させて、冷陰極管を冷陰極管ホルダに保持させた液晶モジュールは、リアフレームの下辺側に帯状基部に固定した他方の冷陰極管保持部を位置させることで、冷陰極管がその自重で撓むのを防止することができる。
【図面の簡単な説明】
【００１４】
【図１】本発明の一実施形態に係る液晶モジュールの分解斜視図である。
【図２】同液晶モジュールに組み込まれる冷陰極管ホルダの斜視図である。
【図３】同冷陰極管ホルダの正面図である。
【図４】光学シート、セルガイド、液晶パネル、ベゼルなどを省略した液晶モジュールの正面図であって、（ａ）はピッチの大きい冷陰極管を光反射シートの上に配設した状態を示し、（ｂ）はピッチの小さい冷陰極管を光反射シートの上に配設した状態を示したものである。
【図５】同液晶モジュールの部分断面図である。
【発明を実施するための最良の形態】
【００１５】
以下、図面を参照して本発明の具体的な実施形態を詳述する。
【００１６】
図１に示す実施形態の液晶モジュールは、リアフレーム１、光反射シート２、略Ｕ字状の冷陰極管３、冷陰極管ホルダ４、ランプフレーム５、光学シート６ａ，６ｂ、セルガイド７、液晶パネル８、ベゼル９などの主要構成部品によって組立てられている。
【００１７】
リアフレーム１は板金製の浅い箱型のフレームであって、その内部には、逆台形状に折り曲げられた光反射シート２が設けられている。この光反射シート２の上（光反射面）には、複数本（この実施形態では２本）の略Ｕ字状の冷陰極管３が配設されており、それぞれの冷陰極管３が冷陰極管ホルダ４の冷陰極管保持部４ｂに嵌め込まれて保持されている。
尚、冷陰極管ホルダ４については、後に詳しく説明する。
【００１８】
図１、図４に示すように、冷陰極管３のＵ字状屈曲端部と反対側の端部にはゴム製のランプソケット３ａが取付けられており、これらのランプソケット３ａは、リアフレーム１の左右いずれか片側の側板１ａ（この実施形態では右側の側板）に沿ってリアフレーム１の底板１ｂに形成されたソケット嵌着口（図には表れていない）に嵌着されて、そのリード線３ｂがリアフレーム１の背後に引き出されている。そして、リアフレーム１の左右の側板１ａ，１ａの内側には合成樹脂製のランプフレーム５，５が取付けられており、これらのランプフレーム５，５によって、明るさのバラツキが生じないよう冷陰極管３のランプソケット３ａを取付けた端部とＵ字状屈曲端部がそれぞれ覆われている。
【００１９】
図１に示すように、リアフレーム１の上下の側板１ｃ，１ｃはいずれも逆Ｕ字状に折り曲げられて二重側板とされており、この二重側板１ｃ，１ｃの上面には２枚の光学シート６ａ，６ｂの端縁（上下の端縁）が載置されて、セルガイド７，７で押えられるようになっている。そして、図５に示すように、光学シート６ａ，６ｂの左右の端縁は、ランプフレーム５，５の受け溝５ａに挿入されている。これらの光学シート６ａ，６ｂは、冷陰極管３からの直射光や光反射シート２で反射された反射光を拡散して液晶パネル８を背後から均一に照らす光拡散シートであって、上側の光学シート６ｂは薄い光拡散シートであるが、下側の光学シート６ａは撓みにくい厚手の光拡散シート（光拡散板）が使用されている。
【００２０】
上記のランプフレーム５，５とセルガイド７，７の上には液晶パネル８の四周縁が載置されており、この液晶パネル８は、ランプフレーム５，５とセルガイド７，７の上面に形成された位置決め突起５ｂ，７ａによって、上下左右に移動しないように位置決めされている。液晶パネル８の端縁（上側の端縁）にはチップオンフィルム８ａを介してＸ−配線基板８ｂが接続されており、このＸ−配線基板８ｂはセルガイド７の側面に取付けられている。そして、この液晶パネル８の四周縁は、ベゼル９，９，９，９によって囲繞被覆されている。
【００２１】
この液晶モジュールの大きな特徴は冷陰極管ホルダ４にある。この冷陰極管ホルダ４は、光反射性に優れた白色樹脂（白色顔料入りの熱可塑性樹脂）で射出成形されたものであって、図２に示すように、帯状基部４ａと、帯状基部４ａの上面に取付けられた一対の冷陰極管保持部４ｂ，４ｂとを備えている。
【００２２】
帯状基部４ａの一端部は、図２に示すように、帯状基部４ａの長さ方向の略中間地点まで略凸型に切欠かれて、後述する一方の冷陰極管保持部４ｂの蟻部４ｄを嵌入する蟻溝４ｃが形成されている。
【００２３】
また、帯状基部４ａの中央部の下面には突起４ｅが形成されており、この突起４ｅを光反射シート２の取付孔２ａに差し込むことによって、冷陰極管ホルダ４が光反射シート２に取付けられるようになっている。
尚、帯状基部４ａの中央部の上面に、光拡散シート６ａ，６ｂ、液晶パネル８が冷陰極管３に向って撓まないように支持する支持突起を形成してもよい。
【００２４】
冷陰極管ホルダ４の一対の冷陰極管保持部４ｂ，４ｂは、図２、図３に示すように、上部が略１／４円弧長に亘って切開された開環状のもので、冷陰極管３が上方からこの冷陰極管保持部４ｂに押し込まれて保持されるようになっている。そして、一方の冷陰極管保持部４ｂの下端部には、帯状基部４ａの蟻溝４ｃに嵌入する略凸型の蟻部４ｄが設けられており、この蟻部４ｄを帯状基部４ａの蟻溝４ｃに嵌入することで、帯状基部４ａに取付けられると共に、帯状基部４ａの長さ方向にスライドさせることができるようになっている。また、他方の冷陰極管保持部４ｂは帯状基部４ａの他端部に固定されている。
【００２５】
上記の冷陰極管ホルダ４は、次のようにして光反射シート２に取付けられる。即ち、図４に示すように、冷陰極管ホルダ４の帯状基部４ａがリアフレーム１の上下方向と平行になるように配置し、リアフレーム１の上辺側の側板１ｃに、スライド可能な一方の冷陰極管保持部４ｂを位置させると共に、リアフレーム１の下辺側の側板１ｃに、帯状基部４ａに固定した他方の冷陰極管保持部４ｂを位置させる。冷陰極管ホルダ４をこの位置関係で光反射シート２に取付けると、冷陰極管３を保持したときに、帯状基部４ａに固定された他方（下側）の冷陰極管保持部４ｂによって冷陰極管３が強固に保持されるので、冷陰極管３がその自重で撓んだり、配設位置が移動してしまうのを防止することができる。
【００２６】
上記のように、冷陰極管ホルダ４を光反射シート２に取付けて、図４の（ａ）に示すように、冷陰極管３のピッチＰ１が大きい場合は、スライド可能に取付けた一方の冷陰極管保持部４ｂを、そのピッチＰ１に合わせて外側（上側）にスライドさせることで、冷陰極管３を保持することができる。また、図４の（ｂ）に示すように、ピッチＰ２の小さい冷陰極管３の場合は、スライド可能に取付けた一方の冷陰極管保持部４ｂを、そのピッチＰ２に合わせて中心側（下側）にスライドさせることで対応できる。
【００２７】
上記のように、本発明の液晶モジュールは、液晶パネル８の大きさに合わせて、ピッチが異なる略Ｕ字状の冷陰極管３を使用する場合でも、帯状基部４ａに取付けた一方の冷陰極管保持部４ｂを、そのピッチに合致するように外側或いは内側に向ってスライドさせることで、冷陰極管３を冷陰極管ホルダ４に保持させることができるものである。このように、冷陰極管３のピッチが変わっても、１種類の冷陰極管ホルダ４で対応することができるので、何種類もの金型が不要となって成形コストを大幅に削減することができると共に、誤配を無くすことで作業効率が向上する、といった顕著な効果を奏する。
【００２８】
以上、一対の冷陰極管保持部４ｂ，４ｂを有する冷陰極管ホルダ４が２つ組み込まれた実施形態の液晶モジュールを詳述したが、二対（それ以上でも可。）の冷陰極管保持部４ｂを有する１つの冷陰極管ホルダ４によって、２本の略Ｕ字状の冷陰極管３，３を保持させることもできる。その場合は、外側に位置する２つの冷陰極管保持部４ｂ，４ｂを、帯状基部４ａの長さ方向にスライド可能となるように取付けると共に、内側に位置する２つの冷陰極管保持部４ｂ，４ｂを帯状基部４ａに固定すればよい。また、冷陰極管ホルダ４の蟻溝４ｃと蟻部４ｄにそれぞれ係止部と被係止部を設けて、スライドする一方の冷陰極管保持部４ｂを任意の箇所で固定できるようにしてもよい。
【符号の説明】
【００２９】
１    リアフレーム
２    光反射シート
３，３０  冷陰極管
４    冷陰極管ホルダ
４ａ  帯状基部
４ｂ  冷陰極管保持部
４ｃ  蟻溝
４ｄ  蟻部
５    ランプフレーム
６ａ  光学シート
６ｂ  光学シート
８    液晶パネル
９    ベゼル
【図１】
2012234089.tif 000003
【図２】
2012234089.tif 000004
【図３】
2012234089.tif 000005
【図４】
2012234089.tif 000006
【図５】
2012234089.tif 000007